(57)【要約】【課題】一端にフランジ部が設けられ、且つ他端が封止されている筒型スパッタリングターゲットの外側及び内側を十分な真空状態にて梱包することができる、スパッタリングターゲットの梱包方法を提供することを目的とする。【解決手段】スパッタリングターゲットの梱包方法は、一端及び他端に開口部を有する筒状のシートから構成される包装材を、ターゲットのフランジ部側が包装材の一端を向くように、ターゲットの外側に被せる工程と、包装材における一端の開口部を閉じる工程と、ターゲットのフランジ部側における包装材の開口部が閉じられた一端をターゲットの内側に押し込む工程と、ターゲットのキャップ側における包装材の他端の開口部から真空引きして、他端の開口部を閉じる工程と、ターゲットのフランジ部側における包装材の一部を開口し、一部の開口部から真空引きして、一部の開口部を閉じる工程と、を含む。【選択図】図２
2020084261.tif 000002
【特許請求の範囲】
【請求項１】
筒部、前記筒部の一端の開口部に設けられたフランジ部及び前記筒部の他端の開口部に設けられたキャップを有するスパッタリングターゲットを包装材により梱包する方法であって、
一端及び他端に開口部を有する筒状のシートから構成される前記包装材を、前記スパッタリングターゲットのフランジ部側が前記包装材の一端を向くように、前記スパッタリングターゲットの外側に被せる工程と、
前記包装材における一端の開口部を閉じる工程と、
前記スパッタリングターゲットのフランジ部側における前記包装材の開口部が閉じられた前記一端を前記スパッタリングターゲットの内側に押し込む工程と、
前記スパッタリングターゲットのキャップ側における前記包装材の他端の開口部から真空引きして、前記他端の開口部を閉じる工程と、
前記スパッタリングターゲットのフランジ部側における前記包装材の一部を開口し、前記一部の開口部から真空引きして、前記一部の開口部を閉じる工程と、を含む、
スパッタリングターゲットの梱包方法。
【請求項２】
筒部、前記筒部の一端の開口部に設けられたフランジ部及び前記筒部の他端の開口部に設けられたキャップを有するスパッタリングターゲットを包装材により梱包する方法であって、
一端に閉口部及び他端に開口部を有する袋状のシートから構成された前記包装材を、前記スパッタリングターゲットのフランジ部側が前記包装材の閉口部を向くように、前記スパッタリングターゲットの外側に被せる工程と、
前記スパッタリングターゲットのフランジ部側における前記包装材の閉口部の前記一端を前記スパッタリングターゲットのターゲットの内側に押し込む工程と、
前記スパッタリングターゲットのキャップ側における前記包装材の他端の開口部から真空引きして、前記他端の開口部を閉じる工程と、
前記スパッタリングターゲットのフランジ部側における前記包装材の一部を開口し、前記一部の開口部から真空引きして、前記一部の開口部を閉じる工程と、を含む、
スパッタリングターゲットの梱包方法。
【請求項３】
前記包装材を前記スパッタリングターゲットの内側に押し込む工程は、中子を前記スパッタリングターゲットの内側に差し込みながら前記包装材を前記スパッタリングターゲットの内側に押し込むことを含む、請求項１又は２に記載のスパッタリングターゲットの梱包方法。
【請求項４】
前記他端の開口部からの真空引き及び前記一部の開口部からの真空引きの少なくとも一方は、前記中子を前記スパッタリングターゲットの内側に差し込んだ状態で行われ、真空引き後に前記中子を抜くことを含む、請求項３に記載のスパッタリングターゲットの梱包方法。
【請求項５】
筒部、前記筒部の一端の開口部に設けられたフランジ部及び前記筒部の他端の開口部に設けられたキャップを有するスパッタリングターゲットを包装材により梱包する方法であって、
一端に開口部及び他端に閉口部を有する袋状のシートから構成された前記包装材を、前記スパッタリングターゲットのフランジ部側が前記包装材の開口部を向くように、前記スパッタリングターゲットの外側に被せる工程と、
前記包装材における一端の開口部を閉じる工程と、
前記スパッタリングターゲットのキャップ側における前記包装材の閉口部の一部を開口する工程と、
前記スパッタリングターゲットのフランジ部側における前記包装材の一部を開口する工程と、
前記スパッタリングターゲットのフランジ部側における前記包装材の開口部が閉じられた前記一端を前記スパッタリングターゲットの内側に押し込む工程と、
前記キャップ側における一部の開口部から真空引きして、前記キャップ側における一部の開口部を閉じる工程と、
前記フランジ部側における一部の開口部から真空引きして、前記フランジ部側における一部の開口部を閉じる工程と、を含む、
スパッタリングターゲットの梱包方法。
【請求項６】
前記包装材を前記スパッタリングターゲットの内側に押し込む工程は、中子を前記スパッタリングターゲットの内側に差し込みながら前記包装材を前記スパッタリングターゲットの内側に押し込むことを含む、請求項５に記載のスパッタリングターゲットの梱包方法。
【請求項７】
前記キャップ側における一部の開口部からの真空引き及び前記フランジ部側における一部の開口部からの真空引きの少なくとも一方は、前記中子を前記スパッタリングターゲットの内側に差し込んだ状態で行われ、真空引き後に前記中子を抜くことを含む、請求項６に記載のスパッタリングターゲットの梱包方法。
【請求項８】
前記包装材は、酸素及び水を透過しにくい特性を有する、請求項１〜７のいずれか１項に記載のスパッタリングターゲットの梱包方法。
【請求項９】
前記包装材の長手方向の長さは、前記スパッタリングターゲットの長手方向の長さの２倍以上の長さである、請求項１〜８のいずれか１項に記載のスパッタリングターゲットの梱包方法。
【請求項１０】
前記包装材を前記スパッタリングターゲットの外側に被せた後、前記包装材の内径が小さくなるように、前記包装材の長手方向に沿って前記包装材を封止することを含む、請求項１〜９のいずれか１項に記載のスパッタリングターゲットの梱包方法。
【請求項１１】
筒部、前記筒部の一端の開口部に設けられたフランジ部及び前記筒部の他端の開口部に設けられたキャップを有するスパッタリングターゲットと、
前記スパッタリングターゲットの内面及び外面を密着状態で覆い、シートから構成される包装材と、を備え、
前記包装材は、前記スパッタリングターゲットの両端側にシール部を備える、
スパッタリングターゲットの梱包構造体。
【請求項１２】
前記シール部は、前記スパッタリングターゲットの両端の外側に位置する、請求項１１に記載のスパッタリングターゲットの梱包構造体。
【請求項１３】
前記包装材と前記スパッタリングターゲットとの間は、真空状態である、請求項１１又は１２に記載のスパッタリングターゲットの梱包構造体。
【請求項１４】
前記梱包構造体の前記スパッタリングターゲットの前記フランジ部と前記包装材との間の離間距離が、梱包から２０℃大気圧下で１週間経過後、１０ｍｍ未満である、請求項１１〜１３のいずれか１項に記載のスパッタリングターゲットの梱包構造体。
【請求項１５】
筒部、前記筒部の一端の開口部に設けられたフランジ部及び前記筒部の他端の開口部に設けられたキャップを有するスパッタリングターゲットと、
シートから構成される包装材と、を備え、
前記スパッタリングターゲットと前記包装材との間が真空状態、及び／又は、前記スパッタリングターゲットと前記包装材が密着状態であり、
前記スパッタリングターゲットの前記フランジ部と前記包装材との間の離間距離が、梱包から２０℃大気圧下で１週間経過後、１０ｍｍ未満である、
スパッタリングターゲットの梱包構造体。
【請求項１６】
前記包装材は、酸素及び水を透過しにくい特性を有する、請求項１１〜１５のいずれか１項に記載のスパッタリングターゲットの梱包構造体。
【請求項１７】
前記スパッタリングターゲットは、１０００ｍｍ以上５０００ｍｍ以下の長手方向の長さを有する、請求項１１〜１６のいずれか１項に記載のスパッタリングターゲットの梱包構造体。
【発明の詳細な説明】
【技術分野】
【０００１】
本発明は、スパッタリングターゲットの梱包方法及び梱包構造体に関する。
【背景技術】
【０００２】
無機薄膜の形成方法として、スパッタ法が知られている。スパッタ法を実施するスパッタ装置には、スパッタリングターゲットとして、平板型スパッタリングターゲットを用いる装置と、筒型スパッタリングターゲットを用いる装置がある。
【０００３】
これらのうち、筒型スパッタリングターゲットを用いるスパッタ装置は、筒型スパッタリングターゲットの内側からターゲット材を冷却しつつ、筒型スパッタリングターゲットを回転させながらスパッタリングを行う構成となっている。そのため、筒型スパッタリングターゲットを用いるスパッタ装置では、ターゲット材の使用効率が７０％以上となっている。この使用効率は、平板型スパッタリングターゲットを用いるスパッタ装置と比べると非常に高く、省資源化や経済的負担の軽減の観点から有用である。
【０００４】
一方、筒型スパッタリングターゲット及び平板型スパッタリングターゲットのいずれにおいても、通常、スパッタリングターゲットを出荷又は保管する際には、樹脂製の袋に入れて、その後内部を真空吸引したり、又は不活性ガスを導入したりする。これは、ごみの付着又はスパッタリングターゲットの変質（例えば酸化）を防止するために行われる。特許文献１には、樹脂製の袋で覆った例えば断面がＵ字形を呈しているホローカソード型スパッタリングターゲットの真空吸引の際に、該スパッタリングターゲットの空間部を覆う蓋に設けた貫通孔を通して該スパッタリングターゲットの空間部を真空脱気して、スパッタリングターゲットの空間部に包装用の樹脂すらも一切触れることがないようにするスパッタリングターゲットの包装装置が記載されている。
【先行技術文献】
【特許文献】
【０００５】
【特許文献１】国際公開第２００５／０３７６４９号
【発明の概要】
【発明が解決しようとする課題】
【０００６】
前述したような省資源化や経済的負担の軽減の観点から、筒型スパッタリングターゲットの使用が注目されつつある。特に、近年、スパッタ装置への安定した状態での設置を考慮して、一端の開口部の周辺にフランジ部が設けられ、別の端の開口部がキャップ等で封止されている筒型スパッタリングターゲットが広く用いられている。
【０００７】
しかしながら、本発明者らは、このようなフランジ部及びキャップを備える筒型スパッタリングターゲットは、出荷又は保管等のための真空吸引及び梱包の際に、多くの問題が生じ得ることを見出した。第１に、筒型スパッタリングターゲットは一般的に長尺で、内側の容積が大きいため、一方の端部がキャップで封止されている場合には、スパッタリングターゲットの内側まで十分な真空状態として包装することは困難であるという問題である。第２に、筒型スパッタリングターゲットがフランジ部を備える場合、そのまま真空引きを実施してもフランジ部のエッジ部に包装材が引っかかってしまい、スパッタリングターゲットの内側や外側の空気をうまく抜くことができないという問題である。
【０００８】
図４は、一般的な方法を用いて円筒型スパッタリングターゲットを真空包装した状態の断面を示す概要図である。図４に示すように、円筒型スパッタリングターゲット１０は、筒部１１の内側に空間１２を有しており、筒部１１の一端の開口部にはフランジ部１３が設けられており、筒部１１の他端の開口部にはキャップ１４が設けられている。包装材２０は、円筒型スパッタリングターゲット１０に被せて包装した後、通常真空引きが行われる箇所である図４のａ（又はｂ）から真空引きされている。しかし、前述したとおり、一般に円筒型スパッタリングターゲット１０は長尺であり、筒部１１の内側の空間１２の容積が大きく、且つフランジ部１３周辺箇所において包装材２０が引っかかってしまうため、筒部１１の内側の空間１２の空気がうまく抜かれていない状態となっている。そのような方法での梱包状態によると、筒部１１の内側の空間１２に残留した空気が次第に外側へ拡散することで、徐々に包装材２０による真空包装が緩み、緩んだ包装材２０と円筒型スパッタリングターゲット１０が輸送中にこすれることで円筒型スパッタリングターゲット１０に傷が入ったり、抜ききれなかった空気及び水分により円筒型スパッタリングターゲット１０の表面が変質（例えば酸化）するおそれがある。
【０００９】
本発明は、一端にフランジ部が設けられ、且つ他端が封止されている筒型スパッタリングターゲットの外側及び内側を十分な真空状態にて梱包することができる、スパッタリングターゲットの梱包方法及び該方法により梱包されたスパッタリングターゲットの梱包構造体を提供することを目的とする。
【課題を解決するための手段】
【００１０】
本発明の第１の１つの要旨によれば、筒部、前記筒部の一端の開口部に設けられたフランジ部及び前記筒部の他端の開口部に設けられたキャップを有するスパッタリングターゲットを包装材により梱包する方法であって、
一端及び他端に開口部を有する筒状のシートから構成される前記包装材を、前記スパッタリングターゲットのフランジ部側が前記包装材の一端を向くように、前記スパッタリングターゲットの外側に被せる工程と、
前記包装材における一端の開口部を閉じる工程と、
前記スパッタリングターゲットのフランジ部側における前記包装材の開口部が閉じられた前記一端を前記スパッタリングターゲットの内側に押し込む工程と、
前記スパッタリングターゲットのキャップ側における前記包装材の他端の開口部から真空引きして、前記他端の開口部を閉じる工程と、
前記スパッタリングターゲットのフランジ部側における前記包装材の一部を開口し、前記一部の開口部から真空引きして、前記一部の開口部を閉じる工程と、を含む、
スパッタリングターゲットの梱包方法が提供される。
【００１１】
本発明の第１のもう１つの要旨によれば、筒部、前記筒部の一端の開口部に設けられたフランジ部及び前記筒部の他端の開口部に設けられたキャップを有するスパッタリングターゲットを包装材により梱包する方法であって、
一端に閉口部及び他端に開口部を有する袋状のシートから構成された前記包装材を、前記スパッタリングターゲットのフランジ部側が前記包装材の閉口部を向くように、前記スパッタリングターゲットの外側に被せる工程と、
前記スパッタリングターゲットのフランジ部側における前記包装材の閉口部の前記一端を前記スパッタリングターゲットのターゲットの内側に押し込む工程と、
前記スパッタリングターゲットのキャップ側における前記包装材の他端の開口部から真空引きして、前記他端の開口部を閉じる工程と、
前記スパッタリングターゲットのフランジ部側における前記包装材の一部を開口し、前記一部の開口部から真空引きして、前記一部の開口部を閉じる工程と、を含む、
スパッタリングターゲットの梱包方法が提供される。
【００１２】
本発明の第１の１つの要旨及びもう１つの要旨の１つの態様において、前記包装材を前記スパッタリングターゲットの内側に押し込む工程は、中子を前記スパッタリングターゲットの内側に差し込みながら前記包装材を前記スパッタリングターゲットの内側に押し込むことを含み得る。
【００１３】
本発明の上記態様において、前記他端の開口部からの真空引き及び前記一部の開口部からの真空引きの少なくとも一方は、前記中子を前記スパッタリングターゲットの内側に差し込んだ状態で行われ、真空引き後に前記中子を抜くことを含み得る。
【００１４】
本発明の第１の更なるもう１つの要旨によれば、筒部、前記筒部の一端の開口部に設けられたフランジ部及び前記筒部の他端の開口部に設けられたキャップを有するスパッタリングターゲットを包装材により梱包する方法であって、
一端に開口部及び他端に閉口部を有する袋状のシートから構成された前記包装材を、前記スパッタリングターゲットのフランジ部側が前記包装材の開口部を向くように、前記スパッタリングターゲットの外側に被せる工程と、
前記包装材における一端の開口部を閉じる工程と、
前記スパッタリングターゲットのキャップ側における前記包装材の閉口部の一部を開口する工程と、
前記スパッタリングターゲットのフランジ部側における前記包装材の一部を開口する工程と、
前記スパッタリングターゲットのフランジ部側における前記包装材の開口部が閉じられた前記一端を前記スパッタリングターゲットの内側に押し込む工程と、
前記キャップ側における一部の開口部から真空引きして、前記キャップ側における一部の開口部を閉じる工程と、
前記フランジ部側における一部の開口部から真空引きして、前記フランジ部側における一部の開口部を閉じる工程と、を含む、
スパッタリングターゲットの梱包方法が提供される。
【００１５】
本発明の第１の更なるもう１つの要旨の１つの態様において、前記包装材を前記スパッタリングターゲットの内側に押し込む工程は、中子を前記スパッタリングターゲットの内側に差し込みながら前記包装材を前記スパッタリングターゲットの内側に押し込むことを含み得る。
【００１６】
本発明の上記態様において、前記キャップ側における一部の開口部からの真空引き及び前記フランジ部側における一部の開口部からの真空引きの少なくとも一方は、前記中子を前記スパッタリングターゲットの内側に差し込んだ状態で行われ、真空引き後に前記中子を抜くことを含み得る。
【００１７】
本発明の第１の１つの要旨、もう１つ及び更なるもう１つの要旨の１つの態様において、前記包装材は、酸素及び水を透過しにくい特性を有し得る。
【００１８】
本発明の第１の１つの要旨、もう１つ及び更なるもう１つの要旨の１つの態様において、前記包装材の長手方向の長さは、前記スパッタリングターゲットの長手方向の長さの２倍以上の長さであり得る。
【００１９】
本発明の第１の１つの要旨、もう１つ及び更なるもう１つの要旨の１つの態様において、前記包装材を前記スパッタリングターゲットの外側に被せた後、前記包装材の内径が小さくなるように、前記包装材の長手方向に沿って前記包装材を封止することを含み得る。
【００２０】
本発明の第２の１つの要旨によれば、筒部、前記筒部の一端の開口部に設けられたフランジ部及び前記筒部の他端の開口部に設けられたキャップを有するスパッタリングターゲットと、
前記スパッタリングターゲットの内面及び外面を密着状態で覆い、シートから構成される包装材と、を備え、
前記包装材は、前記スパッタリングターゲットの両端側にシール部を備える、
スパッタリングターゲットの梱包構造体が提供される。
【００２１】
本発明の第２の１つの要旨の１つの態様において、前記シール部は、前記スパッタリングターゲットの両端の外側に位置し得る。
【００２２】
本発明の第２の１つの要旨の１つの態様において、前記包装材と前記スパッタリングターゲットとの間は、真空状態であり得る。
【００２３】
本発明の第２の１つの要旨の１つの態様において、前記梱包構造体の前記スパッタリングターゲットの前記フランジ部と前記包装材との間の離間距離が、梱包から２０℃大気圧下で１週間経過後、１０ｍｍ未満であり得る。
【００２４】
本発明の第２のもう１つの要旨によれば、筒部、前記筒部の一端の開口部に設けられたフランジ部及び前記筒部の他端の開口部に設けられたキャップを有するスパッタリングターゲットと、
シートから構成される包装材と、を備え、
前記スパッタリングターゲットと前記包装材との間が真空状態、及び／又は、前記スパッタリングターゲットと前記包装材が密着状態であり、
前記スパッタリングターゲットの前記フランジ部と前記包装材との間の離間距離が、梱包から２０℃大気圧下で１週間経過後、１０ｍｍ未満である、
スパッタリングターゲットの梱包構造体が提供される。
【００２５】
本発明の第２の１つの要旨及びもう１つの要旨の１つの態様において、前記包装材は、酸素及び水を透過しにくい特性を有し得る。
【００２６】
本発明の第２の１つの要旨及びもう１つの要旨の１つの態様において、前記スパッタリングターゲットは、１０００ｍｍ以上５０００ｍｍ以下の長手方向の長さを有し得る。
【発明の効果】
【００２７】
本発明のスパッタリングターゲットの梱包方法は、一端にフランジ部が設けられ、且つ他端が封止されている筒型スパッタリングターゲットの外側及び内側を十分な真空状態にて梱包することができ、該方法により梱包されたスパッタリングターゲットの梱包構造体を提供し得る。
【図面の簡単な説明】
【００２８】
【図１Ａ】本発明の１つの実施形態における円筒型スパッタリングターゲットの梱包方法の工程を示す概略図である。
【図１Ｂ】本発明の１つの実施形態における円筒型スパッタリングターゲットの梱包方法の工程を示す概略図である。
【図１Ｃ】本発明の１つの実施形態における円筒型スパッタリングターゲットの梱包方法の工程を示す概略図である。
【図１Ｄ】本発明の１つの実施形態における円筒型スパッタリングターゲットの梱包方法の工程を示す概略図である。
【図１Ｅ】本発明の１つの実施形態における円筒型スパッタリングターゲットの梱包方法の工程を示す概略図である。
【図１Ｆ】本発明の１つの実施形態における円筒型スパッタリングターゲットの梱包方法の工程を示す概略図である。
【図１Ｇ】本発明の１つの実施形態における円筒型スパッタリングターゲットの梱包方法の工程を示す概略図である。
【図１Ｈ】本発明の１つの実施形態における円筒型スパッタリングターゲットの梱包方法の工程を示す概略図である。
【図２】図１Ａ〜図１Ｈの方法で梱包された円筒型スパッタリングターゲットの梱包構造体を示す断面図である。
【図３】図２のフランジ部周辺を拡大した断面を示す図である。
【図４】一般的な方法を用いて円筒型スパッタリングターゲットを真空包装した状態の断面を示す概要図である。
【発明を実施するための形態】
【００２９】
以下、図面を用いて本発明の実施形態について詳述するが、本発明はかかる実施形態に限定されない。
【００３０】
図１Ａ〜図１Ｈは、本発明の１つの実施形態における円筒型スパッタリングターゲットの梱包方法の各工程を示す概略図である。図１Ａ〜図１Ｈにおいて、円筒型スパッタリングターゲット１００及び包装材２００は中心軸に平行な断面で示されている。以下、図１Ａ〜図１Ｈを用いて各工程の詳細について説明する。
【００３１】
第１に、図１Ａにおいて示すように、筒状のシートから構成される包装材２００を、円筒型スパッタリングターゲット１００のフランジ部１０３側が包装材２００の一端を向くように、円筒型スパッタリングターゲット１００の外側に被せる。
【００３２】
円筒型スパッタリングターゲット１００は、筒部１０１の内側に空間１０２を有しており、筒部１０１の一端の開口部にはフランジ部１０３が設けられており、筒部１０１の他端の開口部にはキャップ１０４が設けられている。
【００３３】
円筒型スパッタリングターゲット１００の材料は、スパッタリング法による成膜に通常用いられるようなターゲット材料であれば、特に限定されない。このようなターゲット材料としては、例えば、Ａｌ、Ｃｕ、Ｃｒ、Ｆｅ、Ｔａ、Ｔｉ、Ｚｒ、Ｗ、Ｍｏ、Ｎｂ、Ａｇ、Ｃｏ、Ｒｕ、Ｐｔ、Ｐｄ、Ｎｉ及びこれら金属を含む合金、スズドープ酸化インジウム（ＩＴＯ）、アルミニウムドープ酸化亜鉛（ＡＺＯ）、ガリウムドープ酸化亜鉛（ＧＺＯ）、チタンドープ酸化亜鉛、Ｉｎ−Ｇａ−Ｚｎ系複合酸化物（ＩＧＺＯ）等が挙げられる。これらの中でも、アルミニウム（純度９９．９９％（４Ｎ）以上、好ましくは純度９９．９９９％（５Ｎ）以上の純Ａｌ）、アルミニウム合金（添加元素としてＳｉ、Ｃｕ、Ｎｄ、Ｍｇ、Ｆｅ、Ｔｉ、Ｍｏ、Ｔａ、Ｎｂ、Ｗ、Ｎｉ、Ｃｏ等が挙げられ、好ましくはＳｉ、Ｃｕを添加元素として含む。また、添加元素を除く母材のＡｌ純度は、９９．９９％以上であり、好ましくは９９．９９９％以上である。）又は銅（純度９９．９９％（４Ｎ）以上）が好ましい。このような円筒型スパッタリングターゲット１００の材料は、円筒型スパッタリングターゲット１００の本体部分の材料と、フランジ部１０３及びキャップ１０４の部分の材料とが異なっていてもよい。
【００３４】
円筒型スパッタリングターゲット１００の図１Ａに示す長手方向の長さｘ１は、１０００ｍｍ以上５０００ｍｍ以下、好ましくは１５００ｍｍ以上４５００ｍｍ以下、より好ましくは２０００ｍｍ以上４０００ｍｍ以下、更に好ましくは２２００ｍｍ以上３５００ｍｍ以下、更により好ましくは２５００ｍｍ以上３０００ｍｍ以下である。
【００３５】
円筒型スパッタリングターゲット１００の図１Ａに示す外径ｙ１は、７５ｍｍ以上４００ｍｍ以下、好ましくは１００ｍｍ以上３５０ｍｍ以下、より好ましくは１２０ｍｍ以上３００ｍｍ以下、更に好ましくは１４０ｍｍ以上２５０ｍｍ以下、更により好ましくは１５０ｍｍ以上２００ｍｍ以下である。図１Ａに示す内径ｙ２は、５０ｍｍ以上２５０ｍｍ以下、好ましくは７０ｍｍ以上２００ｍｍ以下、より好ましくは８０ｍｍ以上１８０ｍｍ以下、更に好ましくは１００ｍｍ以上１６０ｍｍ以下、更により好ましくは１１０ｍｍ以上１５０ｍｍ以下である。
【００３６】
円筒型スパッタリングターゲット１００の長手方向の長さｘ１、外径ｙ１及び内径ｙ２を、前述したような大きさに設計することによって、液晶ディスプレイ（ＬＣＤ）用の配線材料等に用いられる筒型スパッタリングターゲットとして好適である。
【００３７】
また、円筒型スパッタリングターゲット１００は、円筒形のスパッタリングターゲット材と、そのスパッタリングターゲット材の内部に挿入される円筒型のバッキングチューブとから構成させるものであってもよい。バッキングチューブは、一端にはフランジ部が設けられ、且つ他端が封止されている構造である。
【００３８】
包装材２００のシートは、円筒型スパッタリングターゲット１００を真空包装可能なものであるならばどのような材料でも構わない。本明細書において、「真空」、「真空状態」及び「真空包装」とは、一切の空気を含有しない完全な真空状態（又は真空包装）を指すわけではなく、不可避な微量の空気等の物質を含有していても構わない実質的な真空状態（又は真空包装）を指す。具体的には、包装材を対象物に被せ、市販されている真空引き装置（例えば真空脱気装置又は真空ポンプ等）を用いて対象物を梱包した包装材中の空間から気体分子を吸い出し十分に真空引きを行った場合、包装材と対象物との間は真空状態であると言える。より具体的には、ＪＩＳ  Ｚ  ８１２６−１：１９９９で規定されている低真空（１００ｋＰａ）以下の真空度であればよい。真空度（絶対圧）は、好ましくは５０ｋＰａ以下であり、より好ましくは２０ｋＰａ以下である。
【００３９】
包装材２００のシートは、好ましくは、シートが酸素及び水を透過しにくい特性を有する。これにより、円筒型スパッタリングターゲット１００の表面の酸化等の変質を抑制することができる。酸素及び水を透過しにくい特性とは、酸素透過度が１００ｃｃ／ｍ２ａｔｍ・ｄａｙ以下、好ましくは８０ｃｃ／ｍ２ａｔｍ・ｄａｙ以下、より好ましくは７０ｃｃ／ｍ２ａｔｍ・ｄａｙ以下であり、透湿度が２０ｇ／ｍ２・ｄａｙ以下、好ましくは１５ｇ／ｍ２・ｄａｙ以下、より好ましくは１０ｇ／ｍ２・ｄａｙ以下である特性を言う。酸素透過度及び透湿度は、ＪＩＳ  Ｋ  ７１２６及びＪＩＳ  Ｋ  ７１２９に準拠した測定方法により測定した値を言う。
【００４０】
例えば、シートの具体的な材料としては、樹脂製フィルムが挙げられる。樹脂としては、例えば、ポリプロピレン、ポリエチレン、ナノコンポジット系コートポリエチレンテレフタレート、アルミニウムを蒸着したポリエチレンテレフタレート（ＰＥＴ）又は無延伸ポリプロピレン（ＣＰＰ）、シリカ又はアルミナを蒸着したＰＥＴや二軸延伸ナイロン（ＯＮＹ）、ポリ塩化ビニリデン（ＰＶＤＣ）、ナイロン、ＰＶＤＣコート二軸延伸ナイロン（ＫＯＮ）又は二軸延伸ポリプロピレン（ＫＯＰ）、ＰＥＴ、ポリ塩化ビニル（ＰＶＣ）、二軸延伸ポリプロピレン（ＯＰＰ）、高密度ポリエチレン（ＨＤＰＥ）、低密度ポリエチレン（ＬＤＰＥ）、エチレン・ビニルアルコール共重合樹脂（ＥＶＯＨ）等が挙げられるが、これらに限定されない。また、これらの樹脂の積層フィルム、共押出多層フィルム等であってもよい。包装材２００は、好ましくは、積層又は多層フィルムである。かかるフィルム層の態様とすることによって、防湿性、耐酸素透過性、耐熱性、ヒートシール性、機械的強度や柔軟性といった複数の機能を兼ね備え易い。
【００４１】
包装材２００は、筒状であるため、図１Ａに示す第１の端部２００ａ（本明細書において包装材２００における一端に相当）及び第２の端部２００ｂ（本明細書において包装材２００における他端に相当）は開口している。かかる構造は、当業者に公知であるどのような方法を用いて形成しても構わない。例えば、上述したような樹脂製フィルムのシートを１枚用いて端部を重ねて適宜シール（例えば熱溶着又は接着等）して、筒状を形成してもよい。或いは、市販されている筒状の樹脂製フィルムのシートを必要に応じて切断してそのまま用いてもよい。
【００４２】
図１Ａに示す包装材２００の長手方向の長さＸは、好ましくは、円筒型スパッタリングターゲット１００の長手方向の長さｘ１の２倍以上の長さである。より好ましくは、２倍以上３倍以下、更に好ましくは２．１倍以上２．５倍以下、より更に好ましくは２．１倍以上２．３倍以下の長さである。図１Ａに示す筒状の包装材２００の内径Ｙは、前述した円筒型スパッタリングターゲット１００の外径ｙ１より大きければ特に限定されない。しかし、好ましくは、包装材２００の内径Ｙは、円筒型スパッタリングターゲット１００の外径ｙ１を考慮し、円筒型スパッタリングターゲット１００の外側に被せる際に困難となる程小さくはなく、且つ円筒型スパッタリングターゲット１００の外側に被せる際に過剰に余ってしまう程大きくはない大きさである。
【００４３】
このように包装材２００の長手方向の長さＸ及び内径Ｙの大きさを適切に設定することによって、本実施形態の梱包方法を実施するに当たり、包装材の無駄な使用を避けることができ、コスト削減に繋がる。具体的には、Ｘは、好ましくは、２０００ｍｍ以上１５０００ｍｍ以下、より好ましくは３０００ｍｍ以上１００００ｍｍ以下、更に好ましくは４０００ｍｍ以上８０００ｍｍ以下、更により好ましくは５０００ｍｍ以上７０００ｍｍ以下である。
【００４４】
包装材２００の厚さは特に限定されず、包装材２００に使用するシートの種類に合わせて、円筒型スパッタリングターゲット１００を真空状態で保護可能な厚さに適宜調整すればよい。好ましくは、包装材２００の厚さは、透湿度及び酸素透過度を前述したような範囲に抑えることができる厚さに調整される。例えば、２０μｍ以上、好ましくは３０μｍ以上５００μｍ以下、より好ましくは４０μｍ以上２００μｍ以下、更に好ましくは５０μｍ以上１００μｍ以下である。
【００４５】
前述した工程において、好ましくは、図１Ａに示すように、円筒型スパッタリングターゲット１００のフランジ部１０３側の端から第１の端部２００ａまでの距離と比較して、円筒型スパッタリングターゲット１００のキャップ１０４側の端から第２の端部２００ｂまでの距離の方が近くなるように、包装材２００を円筒型スパッタリングターゲット１００の外側に被せる。より好ましくは、円筒型スパッタリングターゲット１００の全体が、包装材２００の長手軸の中央箇所から包装材２００の第２の端部２００ｂまでの間において位置し、且つ円筒型スパッタリングターゲット１００のキャップ１０４側の端が包装材２００の第２の端部２００ｂを向いて位置するように、包装材２００を被せる。更に好ましくは、円筒型スパッタリングターゲット１００を前述した形態のように位置させて包装材２００を被せる場合、円筒型スパッタリングターゲット１００のキャップ１０４側の端と第２の端部２００ｂとの間（円筒型スパッタリングターゲット１００のキャップ１０４側の端面（すなわち、キャップ１０４の端面）と、該端面から垂線方向に引いた線と第２の端部２００ｂとの交点間）の距離である図１Ａに示す距離Ａは、円筒型スパッタリングターゲット１００のキャップ１０４側の端面の外半径より大きい距離を有する。その比率（距離Ａ／円筒型スパッタリングターゲット１００のキャップ１０４側の端面の外半径）は、好ましくは１．１倍以上、より好ましくは１．５倍以上１０倍以下、更に好ましくは１．８倍以上８倍以下、より更に好ましくは２倍以上５倍以下、特に好ましくは２．５倍以上４倍以下である。具体的には、５０ｍｍ以上１０００ｍｍ以下、好ましくは１００ｍｍ以上５００ｍｍ以下、より好ましくは１５０ｍｍ以上４００ｍｍ以下、更に好ましくは２００ｍｍ以上３００ｍｍ以下の距離を有する。包装材２００をこのように被せることによって、後に余分な工程を経ることなく簡易に梱包を行うことができる。更に、真空引きする体積を減らし、キャップ１０４側での後の真空引き工程及びシール部形成の工程において、作業性を向上させることができる。
【００４６】
第２に、図１Ｂにおいて示すように、包装材２００の第１の端部２００ａにおける開口部を閉じて閉口部２０１を形成する。閉口部２０１は、当業者に公知であるどのような方法を用いて形成してもよい。例えば、市販されているシーラー（例えば長尺シーラー）等を用いて熱溶着、接着又は封止して形成することができる。
【００４７】
第３に、図１Ｃにおいて示すように、円筒型スパッタリングターゲット１００のフランジ部１０３側における包装材２００の閉口部２０１を有する第１の端部２００ａを、中子３００を円筒型スパッタリングターゲット１００の内側に差し込みながら、円筒型スパッタリングターゲット１００の内側に押し込む。中子３００を使用し、円筒型スパッタリングターゲット１００の内側のキャップ１０４方向の端、好ましくは包装材２００の閉口部２０１がキャップ１０４に接触するまで押し込むことによって、包装材２００を円筒型スパッタリングターゲット１００の内側に挿入させ、予め内側の空気を減らしておくことができる。それによって、その後の真空引き工程において、本発明の梱包方法による円筒型スパッタリングターゲット１００の外側及び内側を十分な真空状態で梱包するとの効果をより好適に発揮させることができる。特に、円筒型スパッタリングターゲット１００の内径ｙ２に合わせた適切な大きさの中子３００を使用することによって、円筒型スパッタリングターゲット１００の内側により密着させた状態で梱包させることができる。また、円筒型スパッタリングターゲット１００のフランジ部１０３側の端と包装材２００のフランジ部１０３側の折り返し部との間（円筒型スパッタリングターゲット１００のフランジ部１０３側の端面（すなわち、フランジ部１０３の端面）と、中子３００によって包装材２００をスパッタリングターゲット１００へ押し込む方向とは逆方向で、該端面から最も離れた包装材２００の先端）の距離Ｂは、円筒型スパッタリングターゲット１００のフランジ部１０３側の端面の外半径より大きい距離を有し得る。包装材２００のフランジ部１０３側の折り返し部とは、後の図Ｆおよび図１Ｇにおいて示すような、円筒型スパッタリングターゲット１００の内側に挿入した際に折り曲がった部分をいう。距離Ｂも、図Ｆおよび図１Ｇに示す。その比率（距離Ｂ／円筒型スパッタリングターゲット１００のフランジ部１０３側の端面の外半径）は、好ましくは１．１倍以上、より好ましくは１．５倍以上１０倍以下、更に好ましくは１．８倍以上８倍以下、より更に好ましくは２倍以上５倍以下、特に好ましくは２．５倍以上４倍以下である。具体的に述べると、５０ｍｍ以上１０００ｍｍ以下、好ましくは１００ｍｍ以上５００ｍｍ以下、より好ましくは１５０ｍｍ以上４００ｍｍ以下、更に好ましくは２００ｍｍ以上３５０ｍｍ以下の距離を有する。包装材２００をこのように被せることによって、真空引きする体積を減らしたり、フランジ部１０３側での後の真空引き工程及びシール部形成の工程において、作業性を向上させることができる。
【００４８】
第４に、円筒型スパッタリングターゲット１００のサイズと比較し、包装材２００の径が大きい場合には、図１Ｄにおいて示すように、包装材２００の内径Ｙが小さくなるように、包装材２００の長手方向に沿って包装材２００を封止してもよい。封止方法は当業者に公知であるどのような方法を用いても構わない。例えば、市販されているシーラー（例えば長尺シーラー）等を用いて熱溶着又は接着して、封止することができる。これにより、予め外側の空気を減らしておくことができ、後の真空引きの工程において、本発明の梱包方法による円筒型スパッタリングターゲット１００の外側及び内側を十分な真空状態で梱包するとの効果をより好適に発揮させることができる。
【００４９】
第５に、図１Ｅの矢印において示すように、円筒型スパッタリングターゲット１００のキャップ１０４側における包装材２００の第２の端部２００ｂの開口部から真空引きする。好ましくは、真空引きを行う前に、包装材２００の弛みやしわを伸ばしておく。それによって、円筒型スパッタリングターゲット１００と包装材２００との間における空気だまりの発生を抑制することができる。また、真空引きの際に、しわの部分や円筒型スパッタリングターゲット１００の段差部等において空気だまりが発生する可能性がある。そのため、好ましくは、例えば、空気だまりを手で円筒型スパッタリングターゲット１００のキャップ１０４側に移動させながら、真空引きを行う。その後、図１Ｆにおいて示すように、かかる開口部を閉じて、シール部２０２を形成する。シール部２０２は、円筒型スパッタリングターゲット１００の端側に形成されるようにする。かかる真空引き工程において、主として円筒型スパッタリングターゲット１００の外側において包装材２００を密着させて真空状態とすることができる。
【００５０】
真空引きの方法は、当業者に公知であるどのような方法を用いても構わない。例えば、市販されている真空引き装置（例えば真空脱気装置又は真空ポンプ等）を用いて対象の空間から十分に気体分子を吸い出す方法が挙げられる。シール部２０２は、前述した閉口部２０１と同様に当業者に公知であるどのような方法を用いて形成してもよい。
【００５１】
第６に、図１Ｇにおいて示すように、円筒型スパッタリングターゲット１００のフランジ部１０３の端側の包装材２００の一部、好ましくは円筒型スパッタリングターゲット１００のフランジ部１０３の端の外側の包装材２００の一部を開口し、かかる一部の開口部から矢印において示すように真空引きする。円筒型スパッタリングターゲット１００のフランジ部１０３の端の外側とは、円筒型スパッタリングターゲット１００のフランジ部１０３の端から円筒の長手方向に対し円筒型スパッタリングターゲット１００とは反対側を意味する。かかる真空引き工程において、フランジ部１０３に引っかかってしまうことなく、主として円筒型スパッタリングターゲット１００の内側において包装材２００を密着させて真空状態とすることができる。フランジ部１０３側からの真空引きの際にも、しわの部分や円筒型スパッタリングターゲット１００の段差部等において空気だまりが発生する可能性がある。そのため、好ましくは、例えば、空気だまりを手で円筒型スパッタリングターゲット１００のフランジ部１０３側に移動させながら、真空引きを行う。
【００５２】
第７に、図１Ｈにおいて示すように、かかる一部の開口部を閉じて、シール部２０３を形成する。シール部２０３は、前述したシール部２０２と同様に、円筒型スパッタリングターゲット１００の端側に形成されるようにする。真空引きの方法及びシール部２０３の形成方法も、前述と同様に、当業者に公知であるどのような方法を用いても構わない。
【００５３】
図１Ｅ〜図１Ｈに示すように十分に真空引き等した後、中子３００を円筒型スパッタリングターゲット１００の内側から引き抜き、円筒型スパッタリングターゲット１００の梱包構造体が作製される。このように中子３００を円筒型スパッタリングターゲット１００の内側に差し込んだ状態で両方の真空引き工程が行われると、真空引き時に包装材２００が動くことを防止でき、より包装材２００を円筒型スパッタリングターゲット１００に接触させやすく、本発明によるスパッタリングターゲットの外側及び内側を十分な真空状態で梱包するとの効果をより好適に発揮させることができる。
【００５４】
なお、他の実施形態では、前述の実施形態の図１Ａ〜図１Ｈの円筒型スパッタリングターゲット１００の梱包を行う前に、更に円筒型スパッタリングターゲット１００の内側及び外側の一部又は全部を覆うように、保護フィルムを貼っておいてもよい。保護フィルムは、円筒型スパッタリングターゲット１００の表面を保護できる剥離可能なフィルムである限り、特に限定されない。保護フィルムとしては、例えば、ポリエチレンテレフタレート、ポリブチレンテレフタレート、ポリエチレンナフタレート等のポリエステル系樹脂フィルム；ポリエチレン、ポリプロピレンフィルム等のポリオレフィン系樹脂フィルム；アクリル系樹脂フィルム等が挙げられる。ポリエステル系樹脂フィルム、ポリオレフィン系樹脂フィルム及びアクリル系樹脂フィルムからなる群から選択されることが好ましい。保護フィルムを貼ることによって、真空引きを行う際、円筒型スパッタリングターゲット１００、特にスパッタ面やスパッタリング装置に取り付け面となるシール面に傷を付けるのを防止することができる。
【００５５】
更に他の実施形態では、円筒型スパッタリングターゲット１００のフランジ部１０３及びキャップ１０４は、前述の実施形態の図１に示される形状のものに限定されない。例えば、前述の実施形態の図１Ａ〜図１Ｈでは、フランジ部１０３は筒部１０１の外側に向かって凸部を有するように形成されている。しかし、他の実施形態では、筒部１０１の外側及び内側に凸部を有さない筒状のものであってもよい。更に、別の他の実施形態では、フランジ部１０３は筒部１０１の内側又は筒部１０１の外側及び内側の両方に向かって凸部を有するように形成されていてもよい。但し、筒部１０１の外側に凸部を有するフランジ部１０３が形成された円筒型スパッタリングターゲット１００において、円筒型スパッタリングターゲット１００の外側及び内側を十分な真空状態で梱包するという効果を、より好適に奏することができる。更なる他の実施形態では、図１Ａ〜図１Ｈの実施形態ではキャップ１０４は筒部１０１の端において円筒型スパッタリングターゲット１００の長手軸方向に沿って延在するように設けられているが、例えば凸部又は凹部を形成するように設けられていてもよい。
【００５６】
前述の実施形態の図１Ａ〜図１Ｈに示す円筒型スパッタリングターゲット１００は円筒型の形状であるが、他の実施形態では、スパッタリングターゲットとして適用可能な筒型の形状であればどのような形状のスパッタリングターゲットであっても構わない。例えば、筒型の形状には、長手方向の軸に垂直な断面が、円形のものだけでなく、楕円形、四角形又は多角形のものも含まれる。即ち、筒状の形状には、円筒形状だけでなく、角筒形状も含まれる。
【００５７】
別の実施形態では、前述の実施形態の図１Ａにおいて示す包装材２００を円筒型スパッタリングターゲット１００の外側に被せる工程と、図１Ｂにおいて示す包装材２００における一端の開口部を閉じて閉口部２０１を形成する工程との順が逆であってもよい。
【００５８】
他の実施形態では、前述の実施形態の図１Ａ及び図１Ｂにおいて、両方の端部（第１の端部２００ａ及び第２の端部２００ｂ）が開口している筒状の包装材２００ではなく、一端（第１の端部２００ａ側に相当）に閉口部及び他端（第２の端部２００ｂ側に相当）に開口部、又は、一端（第１の端部２００ａ側に相当）に開口部及び他端（第２の端部２００ｂ側に相当）に閉口部を有する袋状のシートから構成された包装材２００を用いて、円筒型スパッタリングターゲット１００の外側に被せてもよい。
【００５９】
その場合の１つの実施形態では、包装材２００を、フランジ部１０３側が包装材２００の元々形成されている閉口部を向くように、円筒型スパッタリングターゲット１００の外側に被せる。そのため、この実施形態では、前述してきた実施形態の図１Ｂにおける包装材２００に閉口部２０１を形成する工程が不要となる。
【００６０】
あるいは、その場合のもう１つの実施形態では、包装材２００を、フランジ部１０３側が包装材２００の開口部を向くように、円筒型スパッタリングターゲット１００の外側に被せる。そのため、この実施形態では、フランジ部１０３側の包装材２００の開口部を閉じて、閉じられた包装材２００の一端を円筒型スパッタリングターゲット１００の内側に押し込む。キャップ１０４側の真空引きの際には、包装材２００の元々形成されている閉口部の一部を開口し、そこから真空引きして、キャップ１０４側における包装材２００の一部の開口部を閉じる。キャップ１０４側における包装材２００の元々形成されている閉口部の開口は、円筒型スパッタリングターゲット１００の内側に包装材２００を押し込む前又は押し込む際に行われる。押し込む前及び押し込む際のいずれかにおいて、キャップ１０４側における包装材２００の閉口部を開口することによって、開口部から空気を逃がすことができ、且つ包装材２００を十分に押し込むことができる。この工程によって、主として円筒型スパッタリングターゲット１００の外側において、包装材２００を密着させて真空状態とすることができる。また、別の実施形態としては、キャップ１０４側の閉口部の一部を開口せずに、閉じられた包装材２００の一端を円筒型スパッタリングターゲット１００の内側に包装材２００を押し込む前又は押し込む際に、フランジ部１０３側における包装材２００の一部（円筒型スパッタリングターゲット１００の内側に挿入されない部分）を開口する。押し込む前及び押し込む際のいずれかにおいて、フランジ部１０３側における包装材２００の一部を開口することによって、該一部の開口部から空気を逃がすことができ、且つ包装材２００を十分に押し込むことができる。包装材２００を押し込んだ後、該フランジ部１０３側における該一部の開口部から真空引きして、フランジ部１０３側における包装材２００の該一部の開口部を閉じ、その後、キャップ１０４側の閉口部の一部を開口し、そこから真空引きして、キャップ１０４側における包装材２００の一部の開口部を閉じる。
【００６１】
上記の実施形態の場合、キャップ１０４側における一部の開口からの真空引き及びフランジ部１０３側における一部（円筒型スパッタリングターゲット１００の内側に挿入されない部分）の開口からの真空引きの少なくとも一方、好ましくは両方を、中子３００を内側に差し込んだ状態で行い、真空引き後に中子３００を抜くことで、真空引き時に包装材２００が動くことを防止でき、より包装材２００を円筒型スパッタリングターゲット１００に接触させやすく、十分な真空状態での円筒型スパッタリングターゲット１００の梱包が可能となる。
【００６２】
前述の実施形態の図１Ｃでは中子３００を用いて包装材２００を円筒型スパッタリングターゲット１００の内側に押し込んでいるが、更なる他の実施形態では、包装材２００の一端を円筒型スパッタリングターゲット１００の内側に押し込むことができれば、当業者に公知であるどのような方法を用いても構わない。例えば、高圧のエアーや各種ガスを吹き付けてもよく、又は、フランジ部１０３側が上を向くように円筒型スパッタリングターゲット１００を配置して、円筒型スパッタリングターゲット１００の内側に包装材２００を挟んで錘を置いて落下させることで、包装材２００の一端を円筒型ターゲット１００の内側に押し込んでもよい。
【００６３】
他の実施形態では、前述の実施形態の図１Ｄについて、包装材２００の内径Ｙの大きさを前述したように円筒型スパッタリングターゲット１００の外径ｙ１に合わせた適切な大きさに設定している場合には、かかる工程は無くても構わない。
【００６４】
更に他の実施形態では、前述の実施形態の図１Ｄの工程は、梱包工程のどの段階で行っても構わない。例えば、円筒型スパッタリングターゲット１００に被せる前に包装材２００が適切なサイズになるように包装材２００を封止してもよく、又は、前述の実施形態の図１Ａにおいて包装材２００を円筒型スパッタリングターゲット１００の外側に被せた直後若しくは前述の実施形態の図１Ｃにおいて包装材２００の一端が円筒型スパッタリングターゲット１００の内側に押し込まれる前の段階等で行っても構わない。包装材２００を円筒型スパッタリングターゲット１００に被せる時の作業性の向上、包装材２００と擦れて円筒型スパッタリングターゲット１００に傷が付くことの防止効果、及び、予め外側の空気を減らしておくことで円筒型スパッタリングターゲット１００の外側及び内側を十分な真空状態で梱包し易くする効果の観点から、好ましくは、前述の実施形態の図１Ｄの工程は、包装材２００を円筒型スパッタリングターゲット１００に被せる工程より後であり、且つ各真空引きの工程より前に行う。
【００６５】
別の実施形態では、前述の実施形態の図１Ｅ及び図１Ｆに示すキャップ１０４側における真空引き及びシール部２０２の形成の工程と、図１Ｇ及び図１Ｈに示すフランジ部１０３側における一部の開口、真空引き及びシール部２０３の形成の工程との順が逆であってもよい。但し、円筒型スパッタリングターゲット１００の内側を十分な真空状態で梱包し易くする効果の観点から、好ましくは、前述した実施形態のように、キャップ１０４側における真空引き及びシール部２０２の形成を先に行い、円筒型スパッタリングターゲット１００の内側の真空引き（フランジ部１０３側における真空引き）の前に密着状態を形成する。
【００６６】
前述の実施形態では２度の真空引きが行われた後に中子３００が引き抜かれているが、他の実施形態では、中子３００を円筒型スパッタリングターゲット１００の内側から引き抜くタイミングは、包装材２００の閉口部２０１を円筒型スパッタリングターゲット１００に押し込んだ後であれば、特に制限はない。前述の実施形態の図１Ｃにおいて包装材２００を円筒型スパッタリングターゲット１００の内側に押し込んだ直後、図１Ｄにおいて包装材２００の長手方向に沿って包装材２００を封止した後、及び図１Ｅ及び図１Ｆにおいてキャップ１０４側の真空引き及びシール部２０２の形成を行った後のいずれの段階で中子３００を引き抜いても構わない。
【００６７】
上述した本発明に係る梱包方法によると、包装材２００が円筒型スパッタリングターゲット１００のフランジ部１０３側からスパッタリングターゲットの内側に押し込まれた後、スパッタリングターゲットのフランジ部１０３側及びキャップ１０４側の両端側から２度の真空引きが行われるため、フランジ部１０３に包装材２００が引っかかってしまうことなく、且つキャップ１０４を備える円筒型スパッタリングターゲット１００の内側まで十分な真空状態にして包装材２００を円筒型スパッタリングターゲット１００の内壁面に密着させることができる。
【００６８】
図２は、図１Ａ〜図１Ｈの方法で梱包された円筒型スパッタリングターゲットの梱包構造体を示す断面図である。
【００６９】
図２に示すように、円筒型スパッタリングターゲットの梱包構造体４００は、円筒型スパッタリングターゲット１００と包装材２００とを備える。前述したように、円筒型スパッタリングターゲット１００は、筒部１０１の内側に空間１０２を有しており、筒部１０１の一端の開口部にはフランジ部１０３が設けられており、筒部１０１の他端の開口部にはキャップ１０４が設けられている。包装材２００は、円筒型スパッタリングターゲット１００の内面及び外面、好ましくは内面の略全面及び外面の略全面を密着状態で覆い、円筒型スパッタリングターゲット１００の両端側にシール部２０２（キャップ１０４側）及びシール部２０３（フランジ部１０３側）を備えている。好ましくは、包装材２００と円筒型スパッタリングターゲット１００との間は、真空状態となっている。真空状態の意味は前述した通りである。
【００７０】
本明細書において、「密着」又は「密着状態」とは、対象物同士が完全に隙間無くぴったりとくっついていなくてもよく、前述の梱包方法が適用され、包装材によって対象物の内側及び外側が十分な真空状態とされて包まれており、包装材が対象物の輪郭形状に沿って大凡ぴったりとくっついている状態を言う。
【００７１】
詳細には、円筒型スパッタリングターゲットの梱包構造体４００について、図３の拡大図において示される円筒型スパッタリングターゲット１００のフランジ部１０３と包装材２００との間の離間距離ｄは、梱包から２０℃大気圧下で１週間経過後において、好ましくは１０ｍｍ未満、より好ましくは０．０１ｍｍ以上９ｍｍ以下、更に好ましくは０．０２ｍｍ以上８ｍｍ以下、より更に好ましくは０．０３ｍｍ以上５ｍｍ以下、特に好ましくは０．０５ｍｍ以上２ｍｍ以下である。離間距離ｄが上記上限以下であると、真空包装の緩みによって生じる包装材２００との擦れによる円筒型スパッタリングターゲット１００に傷が付くことを防止でき、また、抜ききれなかった空気及び水分による円筒型スパッタリングターゲット１００の表面が変質（例えば酸化）を防止できる。また、離間距離ｄが上記下限以上であると、特に真空引き直後の円筒型スパッタリングターゲット１００のエッジ部付近での包装材２００の破れを防止できる。離間距離ｄとは、包装材２００を２０Ｎの力で円筒型スパッタリングターゲット１００の面に対して垂直方向に引っ張ったときの円筒型スパッタリングターゲット１００と包装材２００との間の距離において最も離れている距離（段差部や包装材２００のしわ部分を除く）とする。測定のし易さから、好ましくは、フランジ部１０３側のシール部２０２及びキャップ１０４側のシール部２０３のいずれかより外側の余分な包装材２００を引っ張ることにより測定される。一定荷重で引っ張るため、好ましくは、ばねばかりやテンションゲージ等の引っ張る力が測定できる器具を使用する。詳細には、例えば、余っている部分の包装材２００にパンチや針等で穴をあけ、該穴に測定器具を引っかけて、一定荷重で引っ張ったままの状態で、離間距離ｄを測定する。他の代替の方法では、離間距離ｄは、例えば、定規、ノギス等を用いて測定できる。
【００７２】
また、図４に示す円筒型スパッタリングターゲット１０を真空包装した状態においては、空間１２の容積が大きいため、真空引き後には円筒型スパッタリングターゲット１０の内部が負圧となり、包装材２０の一部が円筒型スパッタリングターゲット１０のフランジ部１３側から内部に引き込まれる現象が生じ得る。しかし、本発明に係る梱包方法により得られる円筒型スパッタリングターゲットの梱包構造体４００においては、包装材２００が円筒型スパッタリングターゲット１００の内面を密着状態で覆っているため、該現象は発生しない。円筒型スパッタリングターゲットの梱包構造体４００においては、包装材２００が円筒型スパッタリングターゲット１００の内部に引っ張られた際に、例えばフランジ部１０３の角や段差などのエッジ部と包装材２００が擦れることによる包装材２００の破損を防止することができる。
【００７３】
キャップ１０４側のシール部２０２及びフランジ部１０３側のシール部２０３は、前述した通り、各々の真空引き後に、例えば２層の包装材２００を合わせた後、市販されているシーラー（例えば長尺シーラー）等を用いて熱溶着、接着又は封止して形成されたものである。
【００７４】
シール部２０２及びシール部２０３は、円筒型スパッタリングターゲット１００の両端側、好ましくは円筒型スパッタリングターゲット１００の両端の外側に位置している。円筒型スパッタリングターゲット１００の両端側とは、円筒型スパッタリングターゲット１００の長軸の両端側（フランジ部１０３側及びキャップ１０４側）であることを意味する。円筒型スパッタリングターゲット１００の両端の外側とは、円筒型スパッタリングターゲット１００の長軸の両端（フランジ部１０３及びキャップ１０４）から円筒の長手方向に対し、円筒型スパッタリングターゲット１００の両端とは反対側であることを意味する。即ち、梱包状態でのシール部２０２とシール部２０３と間の距離が、円筒型スパッタリングターゲット１００の長さよりも大きいことを意味している。
【００７５】
円筒型スパッタリングターゲット１００のキャップ１０４側の端面からシール部２０２の距離（円筒型スパッタリングターゲット１００のキャップ１０４側の端面から垂線方向に引いた線とシール部２０２の交点間の距離）及び円筒型スパッタリングターゲット１００のフランジ部１０３側の端面からシール部２０３の距離（円筒型スパッタリングターゲット１００のフランジ部１０３側の端面から垂線方向に引いた線とシール部２０３の交点間の距離）は、円筒型スパッタリングターゲット１００のキャップ１０４側の端面の外半径より大きい距離を有し得る。該外半径に対する比率は、好ましくは１．１倍以上、より好ましくは１．２倍以上７倍以下、更に好ましくは１．３倍以上５倍以下、より更に好ましくは１．４倍以上３倍以下、特に好ましくは１．５倍以上２．５倍以下である。具体的に述べると、４５ｍｍ以上７５０ｍｍ以下、好ましくは８０ｍｍ以上４５０ｍｍ以下、より好ましくは１００ｍｍ以上３００ｍｍ以下、更に好ましくは１２０ｍｍ以上２５０ｍｍ以下の距離を有する。シール部をこの位置に設けることにより、真空引き後のシール部形成の作業性がよく、且つ再度真空引きするための開口部を設けるスペースも確保できる。このようなスペースを確保することにより、真空引きに不備があったものや、長期間の保管により真空状態が緩んだものを繰り返し真空引きすることができる。
【００７６】
各々の真空引き後に形成されるシール部２０２及びシール部２０３を、円筒型スパッタリングターゲット１００の両端側、好ましくは両端の外側に位置させることによって、スパッタリングターゲットの外側及び内側に対する包装材２００の密着度を上げることができ、且つフランジ部１０３への引っかかりによる影響も好適に改善される。更に、より長期間において包装材２００が緩むことなく保管等が可能となる。
【００７７】
或いは、円筒型スパッタリングターゲットの梱包構造体４００は、円筒型スパッタリングターゲット１００と包装材２００とを備え、円筒型スパッタリングターゲット１００と包装材２００との間が真空状態、及び／又は、円筒型スパッタリングターゲット１００と包装材２００が密着状態であり、円筒型スパッタリングターゲット１００のフランジ部１０３と包装材２００との間の離間距離ｄが、梱包から２０℃大気圧下で１週間経過後、１０ｍｍ未満である。真空状態と密着状態の意味は、前述した通りである。
【００７８】
また、円筒型スパッタリングターゲット１００を覆った包装材２００が運搬時に外力によって破れることを防止する、又は包装材２００が破れても円筒型スパッタリングターゲット１００の周囲を真空状態で維持するために、円筒型スパッタリングターゲットの梱包構造体４００の外側を更に包装材２００で覆ってもよい。かかる層構造は、３層以上の多層としてもよい。このとき、各層間の空間は、真空引きにより、真空状態であることが好ましい。各層の包装材２００は、同じもの又は異なるものでもよい。包装材２００の２層目以降の梱包は、１層目と同じ方法により施されてもよいが、１層目の包装材２００により円筒型スパッタリングターゲット１００が十分な真空状態で梱包されているため、包装材２００が円筒型スパッタリングターゲット１００の外側だけに密着するようにして梱包してもよい。
【００７９】
以下に本発明の実施例及び比較例を示す。下記の本発明の実施例及び比較例の形態は単なる例示にすぎず、本発明を何ら限定するものではない。
【実施例】
【００８０】
（実施例１）
長さ２７５０ｍｍ、外径１６５ｍｍ、内径１２６ｍｍの円筒部を有し、円筒部の一端の開口部にフランジ部及び他端にキャップを備えた円筒型スパッタリングターゲット（全長２９５０ｍｍ）を用意した。円筒型スパッタリングターゲットの筒部本体は高純度（９９．９９９％）のアルミニウムからなり、フランジ部及びキャップはアルミニウム合金製であり、キャップ側及びフランジ側の端面の外半径はそれぞれ７０ｍｍ、８２．５ｍｍであった。円筒型スパッタリングターゲットの円筒部表面を保護フィルム（「三井マスキングテープ」（登録商標）、三井化学東セロ株式会社製）で保護した。円筒型スパッタリングターゲットを、長手方向の長さを約６４００ｍｍにカットした筒状の包装材（スタープラスチック工業株式会社製のエスラップＡＬ（酸素透過度：６０ｃｃ／ｍ２ａｔｍ・ｄａｙ、透湿度：９ｇ／ｍ２・ｄａｙ））の中に通して被せた。その際、約６４００ｍｍの包装材の端から約２５０ｍｍの位置に、円筒型スパッタリングターゲットのキャップ側の端がくるように配置した。その後、円筒型スパッタリングターゲットのフランジ部側の包装材の一端をシールし、かかる一端を円筒型スパッタリングターゲットの内側の空間のキャップ方向の端に到達するまで、中子を使用して押し込んだ。
【００８１】
押し込んだ状態の包装材の弛みを除去した後、円筒型スパッタリングターゲットのキャップ側における包装材の開口部から、真空ポンプ脱気性能付き長尺シーラー（富士インパルス株式会社製のＬＯＳ−１０００−ＮＴ１）を用いて、手で空気だまりを円筒型スパッタリングターゲットのキャップ側に移動させながら３０秒間真空引き後、開口部をシールした。その後、円筒型スパッタリングターゲットのフランジ側の包装材の端の一部をカットし、同装置を用いて１２０秒間真空引き後、開口部をシールした。このとき、包装材はキャップ側の端面にも密着し、キャップの中央にて包装材同士が密着し合っており、キャップ側のシール部は円筒型スパッタリングターゲットのキャップ側の端面から約１５０ｍｍの位置であった。また、包装材はフランジ部の端面にも密着し、フランジ部側のシール部は円筒型スパッタリングターゲットのフランジ部側の端面から約１５０ｍｍの位置であった。完全にシールし終わった後、中子を引き抜いて、円筒型スパッタリングターゲットの梱包構造体を作製した。円筒型スパッタリングターゲットの段差部や包装材のしわ部分を除き、包装材は円筒型スパッタリングターゲットの外面の略全面、内面の略全面に密着していた。
【００８２】
（実施例２）
梱包する円筒型スパッタリングターゲットについて、筒部本体が高純度（９９．９９％）の無酸素銅からなり、フランジ部及びキャップは無酸素銅製である円筒型スパッタリングターゲットを用いた以外は前述した実施例１と同様の方法において、円筒型スパッタリングターゲットの梱包構造体を作製した。
【００８３】
（比較例）
前述の実施例１と同様の円筒型スパッタリングターゲットを用意し、表面を保護フィルム（「三井マスキングテープ」（登録商標）、三井化学東セロ株式会社製）で保護した。長手方向の長さを約３４５０ｍｍにカットした筒状の包装材（スタープラスチック工業株式会社製のエスラップＡＬ（酸素透過度：６０ｃｃ／ｍ２ａｔｍ・ｄａｙ、透湿度：９ｇ／ｍ２・ｄａｙ）））の中に円筒型スパッタリングターゲットを通して被せた。その際、約３４５０ｍｍの包装材の端から約２５０ｍｍの位置に、円筒型スパッタリングターゲットのキャップ側の端がくるように配置した。その後、円筒型スパッタリングターゲットのキャップ側における包装材の開口部を、真空ポンプ脱気性能付き長尺シーラー（富士インパルス株式会社製のＬＯＳ−１０００−ＮＴ１）を用いてシールした。この時、真空引きは行わなかった。その後、円筒型スパッタリングターゲットのフランジ側の包装材の開口部から、同装置を用いて、手で空気だまりを円筒型スパッタリングターゲットのフランジ部側に移動させながら１２０秒間真空引き後、フランジ側の包装材の開口部をシールし、円筒型スパッタリングターゲットの梱包構造体を作製した。キャップ側のシール部は円筒型スパッタリングターゲットのキャップ側の端面から約１５０ｍｍの位置、またフランジ部側のシール部は円筒型スパッタリングターゲットのフランジ部側の端面から約１５０ｍｍの位置となるようにシールしたが、包装完了後、フランジ側のシール部は、図４に示されるように円筒型スパッタリングターゲットの内部へ僅かに引き込まれていた。
【００８４】
（評価）
実施例１、実施例２及び比較例の円筒型スパッタリングターゲットの梱包構造体を、２０℃大気圧下にて１週間保管した。保管後のそれぞれの円筒型スパッタリングターゲットの梱包構造体について、フランジ部側のシール部より外側の包装材に約６ｍｍの穴をパンチで開け、そこにフック部を設けたデジタルフォースゲージ（株式会社イマダ製、ＤＳＶ−２００Ｎ）を取り付け、２０Ｎの力で円筒型スパッタリングターゲットの長手方向外側（フランジ部側の端面に対して、略垂直な方向）へ引っ張った。このときに生じた包装材と円筒型スパッタリングターゲットのフランジ部側の端面との隙間を定規で測定した。それぞれの梱包構造体について、５か所において測定を行った結果、実施例１及び実施例２の円筒型スパッタリングターゲットでは、それぞれ最大の隙間は１ｍｍ以下であった。一方、比較例の梱包構造体では１０ｍｍであった。なお、実施例１、実施例２及び比較例の円筒型スパッタリングターゲットの梱包構造体については、真空包装直後においては、上記と同様の評価を行っても、円筒型スパッタリングターゲットと包装材との間の隙間は、１ｍｍ以下であった。
【００８５】
このように、実施例１及び実施例２の円筒型スパッタリングターゲットの梱包構造体は、梱包後１週間経過しても円筒型スパッタリングターゲットを梱包している包装材は緩むことはなかった。一方で、比較例の円筒型スパッタリングターゲットの梱包構造体は、梱包後１週間経過すると、円筒型スパッタリングターゲットを梱包している包装材は緩んでいた。この結果から、包装材の一端を円筒型スパッタリングターゲットの内側に押し込み、その後円筒型スパッタリングターゲットのフランジ部側及びキャップ側の両側から２度の真空引きが行われることによって、両端にフランジ部及びキャップを有する長尺の円筒型スパッタリングターゲットであっても、その外側及び内側を十分な真空状態にて梱包することができることが理解できる。
【産業上の利用可能性】
【００８６】
本発明のスパッタリングターゲットの梱包方法によると、一端にフランジ部が設けられ、且つ他端がキャップ等で封止されている長尺の筒型スパッタリングターゲットに対して、フランジ部に包装材が引っかかることなく、且つスパッタリングターゲットの外側及び内側まで十分な真空状態にして梱包することができる。
【符号の説明】
【００８７】
１０、１００  円筒型スパッタリングターゲット
１１、１０１  筒部
１２、１０２  空間
１３、１０３  フランジ部
１４、１０４  キャップ
２０、２００  包装材
２００ａ  第１の端部
２００ｂ  第２の端部
２０１  閉口部
２０２、２０３  シール部
３００  中子
４００  円筒型スパッタリングターゲットの梱包構造体
【図１Ａ】
2020084261.tif 000003
【図１Ｂ】
2020084261.tif 000004
【図１Ｃ】
2020084261.tif 000005
【図１Ｄ】
2020084261.tif 000006
【図１Ｅ】
2020084261.tif 000007
【図１Ｆ】
2020084261.tif 000008
【図１Ｇ】
2020084261.tif 000009
【図１Ｈ】
2020084261.tif 000010
【図２】
2020084261.tif 000011
【図３】
2020084261.tif 000012
【図４】
2020084261.tif 000013
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
筒部、前記筒部の一端の開口部に設けられたフランジ部及び前記筒部の他端の開口部に設けられたキャップを有するスパッタリングターゲットを包装材により梱包する方法であって、
一端及び他端に開口部を有する筒状のシートから構成される前記包装材を、前記スパッタリングターゲットのフランジ部側が前記包装材の一端を向くように、前記スパッタリングターゲットの外側に被せる工程と、
前記包装材における一端の開口部を閉じる工程と、
前記スパッタリングターゲットのフランジ部側における前記包装材の開口部が閉じられた前記一端を前記スパッタリングターゲットの内側に押し込む工程と、
前記スパッタリングターゲットのキャップ側における前記包装材の他端の開口部から真空引きして、前記他端の開口部を閉じる工程と、
前記スパッタリングターゲットのフランジ部側における前記包装材の一部を開口し、前記一部の開口部から真空引きして、前記一部の開口部を閉じる工程と、を含む、
スパッタリングターゲットの梱包方法。
【請求項２】
筒部、前記筒部の一端の開口部に設けられたフランジ部及び前記筒部の他端の開口部に設けられたキャップを有するスパッタリングターゲットを包装材により梱包する方法であって、
一端に閉口部及び他端に開口部を有する袋状のシートから構成された前記包装材を、前記スパッタリングターゲットのフランジ部側が前記包装材の閉口部を向くように、前記スパッタリングターゲットの外側に被せる工程と、
前記スパッタリングターゲットのフランジ部側における前記包装材の閉口部の前記一端を前記スパッタリングターゲットのターゲットの内側に押し込む工程と、
前記スパッタリングターゲットのキャップ側における前記包装材の他端の開口部から真空引きして、前記他端の開口部を閉じる工程と、
前記スパッタリングターゲットのフランジ部側における前記包装材の一部を開口し、前記一部の開口部から真空引きして、前記一部の開口部を閉じる工程と、を含む、
スパッタリングターゲットの梱包方法。
【請求項３】
前記包装材を前記スパッタリングターゲットの内側に押し込む工程は、中子を前記スパッタリングターゲットの内側に差し込みながら前記包装材を前記スパッタリングターゲットの内側に押し込むことを含む、請求項１又は２に記載のスパッタリングターゲットの梱包方法。
【請求項４】
前記他端の開口部からの真空引き及び前記一部の開口部からの真空引きの少なくとも一方は、前記中子を前記スパッタリングターゲットの内側に差し込んだ状態で行われ、真空引き後に前記中子を抜くことを含む、請求項３に記載のスパッタリングターゲットの梱包方法。
【請求項５】
筒部、前記筒部の一端の開口部に設けられたフランジ部及び前記筒部の他端の開口部に設けられたキャップを有するスパッタリングターゲットを包装材により梱包する方法であって、
一端に開口部及び他端に閉口部を有する袋状のシートから構成された前記包装材を、前記スパッタリングターゲットのフランジ部側が前記包装材の開口部を向くように、前記スパッタリングターゲットの外側に被せる工程と、
前記包装材における一端の開口部を閉じる工程と、
前記スパッタリングターゲットのキャップ側における前記包装材の閉口部の一部を開口する工程と、
前記スパッタリングターゲットのフランジ部側における前記包装材の一部を開口する工程と、
前記スパッタリングターゲットのフランジ部側における前記包装材の開口部が閉じられた前記一端を前記スパッタリングターゲットの内側に押し込む工程と、
前記キャップ側における一部の開口部から真空引きして、前記キャップ側における一部の開口部を閉じる工程と、
前記フランジ部側における一部の開口部から真空引きして、前記フランジ部側における一部の開口部を閉じる工程と、を含む、
スパッタリングターゲットの梱包方法。
【請求項６】
前記包装材を前記スパッタリングターゲットの内側に押し込む工程は、中子を前記スパッタリングターゲットの内側に差し込みながら前記包装材を前記スパッタリングターゲットの内側に押し込むことを含む、請求項５に記載のスパッタリングターゲットの梱包方法。
【請求項７】
前記キャップ側における一部の開口部からの真空引き及び前記フランジ部側における一部の開口部からの真空引きの少なくとも一方は、前記中子を前記スパッタリングターゲットの内側に差し込んだ状態で行われ、真空引き後に前記中子を抜くことを含む、請求項６に記載のスパッタリングターゲットの梱包方法。
【請求項８】
前記包装材は、酸素及び水を透過しにくい特性を有する、請求項１〜７のいずれか１項に記載のスパッタリングターゲットの梱包方法。
【請求項９】
前記包装材の長手方向の長さは、前記スパッタリングターゲットの長手方向の長さの２倍以上の長さである、請求項１〜８のいずれか１項に記載のスパッタリングターゲットの梱包方法。
【請求項１０】
前記包装材を前記スパッタリングターゲットの外側に被せた後、前記包装材の内径が小さくなるように、前記包装材の長手方向に沿って前記包装材を封止することを含む、請求項１〜９のいずれか１項に記載のスパッタリングターゲットの梱包方法。